(57)【要約】  バッテリ駆動及びバスパワー駆動のそれぞれにおいて、最大限の性能を発揮することが可能なストレージ機器を提供する。電力供給が可能な通信インターフェースからの電力又は内蔵バッテリからの電力の供給を受けて、機器の動作が行われるストレージ機器において、通信インターフェースからの電力が供給されているか否かを検出する電力検出部と、電力検出部により、通信インターフェースからの電力が供給されている場合には通信インターフェースからの電力を電源部に供給し、通信インターフェースからの電力が供給されていない場合には内蔵バッテリからの電力を電源部に供給するように切り換える電力切換部と、電力検出部により、通信インターフェースからの電力が供給されている場合には機器を高速モードで動作させ、通信インターフェースからの電力が供給されていない場合には機器を省電力モードで動作させる制御部と、を有することを特徴とする。【特許請求の範囲】
【請求項１】
電力供給が可能な通信インターフェースからの電力又は内蔵バッテリからの電力の供給を受けて、機器の動作が行われるストレージ機器において、
前記通信インターフェースからの電力が供給されているか否かを検出する電力検出部と、
前記電力検出部により、前記通信インターフェースからの電力が供給されている場合には前記通信インターフェースからの電力を電源部に供給し、前記通信インターフェースからの電力が供給されていない場合には前記内蔵バッテリからの電力を前記電源部に供給するように切り換える電力切換部と、
前記電力検出部により、前記通信インターフェースからの電力が供給されている場合には前記機器を高速モードで動作させ、前記通信インターフェースからの電力が供給されていない場合には前記機器を省電力モードで動作させる制御部と、
を有することを特徴とするストレージ機器。
【請求項２】
前記機器は、情報が記録又は読出されるディスクを回転させるスピンドルモータを有し、
前記制御部は、前記高速モードにおける前記スピンドルモータの回転速度を前記省電力モードにおける前記スピンドルモータの回転速度よりも速い速度に設定することを特徴とする請求の範囲第１項に記載のストレージ機器。
【請求項３】
前記機器は、情報が記録又は読出されるディスクを回転させるスピンドルモータを有し、
前記制御部は、前記高速モードにおける前記スピンドルモータの回転時及び停止時の加速度の絶対値を前記省電力モードにおける前記スピンドルモータの回転時及び停止時の加速度の絶対値よりも大きく設定することを特徴とする請求の範囲第１項に記載のストレージ機器。
【請求項４】
前記機器は、情報が記録又は読出されるディスクに対して前記ディスクの半径方向に移動する前記情報を記録又は読出するためのピックアップを有し、前記制御部は、前記高速モードにおける前記ピックアップの前記半径方向の移動速度を前記省電力モードにおける前記ピックアップの前記半径方向の移動速度よりも速い速度に設定することを特徴とする請求の範囲第１項に記載のストレージ機器。
【請求項５】
前記機器は、記録媒体から情報を記録又は読出するためのレンズと該レンズを駆動するためのレンズアクチュエータとを有し、
前記制御部は、前記高速モードにおける前記レンズアクチュエータの駆動速度を前記省電力モードにおける前記レンズアクチュエータの駆動速度よりも速い速度に設定することを特徴とする請求の範囲第１項に記載のストレージ機器。
【請求項６】
前記機器は、記録媒体から情報を記録又は読出するためのレーザ出力部を有し、
前記制御部は、前記高速モードにおける前記レーザ出力部の出力を前記省電力モードにおける前記レーザ出力部の出力よりも大きく設定することを特徴とする請求の範囲第１項に記載のストレージ機器。
【発明の詳細な説明】
【技術分野】
【０００１】
本発明は、ストレージ機器に係り、特にポータブルのストレージ機器に好適に利用できるものである。
【背景技術】
【０００２】
現在、ポータブルストレージ機器として、ミニディスク（ＭＤ）やポータブルハードディスク等の機器が知られている。ＭＤ機器は、一般的に、パーソナルコンピュータ（ＰＣ）と接続して音楽データ等を取り込み、携帯して鑑賞するのに使用されている。ポータブルハードディスク機器は、例えば、外出先でデジタルカメラの記録メディアがいっぱいになったときに、デジタルカメラあるいは記録メディアと接続して記録メディアの画像データを取り込み、記録メディアの継続使用が可能となるように用いられる。そして、取り込んだ画像データをＰＣに転送できるようＰＣと接続可能になっている。【０００３】
これらの、ポータブルストレージ機器は、持ち運んで使用するときは、乾電池等のバッテリで動作するようになっているとともに、ＰＣと接続して使用するときは、ＵＳＢケーブル等の接続ケーブルを介してＰＣからの電力（バスパワー）供給を受けて動作するようになっている（例えば、特許文献１参照）。
【特許文献１】特開２００５−１４９３０４号公報
【発明の開示】
【発明が解決しようとする課題】
【０００４】
これまでの、ポータブルストレージ機器では、持ち運びの際のバッテリ駆動での長時間駆動を可能とするよう機器設計が行われていた。具体的には、ディスクの回転速度、ディスクの回転停止制御、光ピックアップの自動焦点制御、光ピックアップのシーク速度、等を電力消費を抑えるような設定にしていた。そして、バスパワー駆動の場合も、バッテリ駆動と場合と同様の設定で各動作が行われていた。【０００５】
そのため、バスパワー駆動においては、電力に余裕があり最大限に性能が生かされておらず、各動作に時間がかかる等の問題があった。【０００６】
本発明は、以上のような問題に鑑みてなされたものであり、バッテリ駆動及びバスパワー駆動のそれぞれにおいて、最大限の性能を発揮することが可能なストレージ機器を提供することを目的としている。
【課題を解決するための手段】
【０００７】
（１）電力供給が可能な通信インターフェースからの電力又は内蔵バッテリからの電力の供給を受けて、機器の動作が行われるストレージ機器において、前記通信インターフェースからの電力が供給されているか否かを検出する電力検出部と、前記電力検出部により、前記通信インターフェースからの電力が供給されている場合には前記通信インターフェースからの電力を電源部に供給し、前記通信インターフェースからの電力が供給されていない場合には前記内蔵バッテリからの電力を前記電源部に供給するように切り換える電力切換部と、前記電力検出部により、前記通信インターフェースからの電力が供給されている場合には前記機器を高速モードで動作させ、前記通信インターフェースからの電力が供給されていない場合には前記機器を省電力モードで動作させる制御部と、を有することを特徴としている。【０００８】
（２）（１）のストレージ機器において、前記機器は、情報が記録又は読出されるディスクを回転させるスピンドルモータを有し、前記制御部は、前記高速モードにおける前記スピンドルモータの回転速度を前記省電力モードにおける前記スピンドルモータの回転速度よりも速い速度に設定することを特徴としている。【０００９】
（３）（１）のストレージ機器において、前記機器は、情報が記録又は読出されるディスクを回転させるスピンドルモータを有し、前記制御部は、前記高速モードにおける前記スピンドルモータの回転時及び停止時の加速度の絶対値を前記省電力モードにおける前記スピンドルモータの回転時及び停止時の加速度の絶対値よりも大きく設定することを特徴としている。【００１０】
（４）（１）のストレージ機器において、前記機器は、情報が記録又は読出されるディスクに対して前記ディスクの半径方向に移動する前記情報を記録又は読出するためのピックアップを有し、前記制御部は、前記高速モードにおける前記ピックアップの前記半径方向の移動速度を前記省電力モードにおける前記ピックアップの前記半径方向の移動速度よりも速い速度に設定することを特徴としている。【００１１】
（５）（１）のストレージ機器において、前記機器は、記録媒体から情報を記録又は読出するためのレンズと該レンズを駆動するためのレンズアクチュエータとを有し、前記制御部は、前記高速モードにおける前記レンズアクチュエータの駆動速度を前記省電力モードにおける前記レンズアクチュエータの駆動速度よりも速い速度に設定することを特徴としている。【００１２】
（６）（１）のストレージ機器において、前記機器は、記録媒体から情報を記録又は読出するためのレーザ出力部を有し、前記制御部は、前記高速モードにおける前記レーザ出力部の出力を前記省電力モードにおける前記レーザ出力部の出力よりも大きく設定することを特徴としている。  
【発明の効果】
【００１３】
上記手段によれば、バスパワー駆動の場合においては、高速モードに設定し、高速に機器を動作させることができるので、短時間で記録媒体に対する記録及び読出の動作を行うことができる。また、バッテリ駆動の場合には、省電力モードに設定し、従来のストレージ機器と同様に消費電力の少ない状態で記録媒体に対する記録や読出の動作をおこなうことができる。
【図面の簡単な説明】
【００１４】
【図１】本実施形態に係るストレージ機器の構成図である。
【図２】本実施形態に係る電源切換制御のフロー図である。
【図３】本実施形態に係る動作制御のフロー図である。
【符号の説明】
【００１５】
１０  ストレージ機器
１１  バッテリ
１２  ＵＳＢインターフェース
１３  電力検出部
１４  電力切換部
１５  電源部
１６  制御部
１９  光ピックアップ
２０  ディスク
２１  スピンドルモータ
２４  トラバースモータ
２７  磁気ヘッド
【発明を実施するための最良の形態】
【００１６】
（ストレージ機器の構成と基本動作）
図１は、本実施形態に係るストレージ機器の構成図である。ストレージ機器１０は、乾電池等のバッテリ１１を備え、このバッテリ１１を電源として動作可能となっている。また、ストレージ機器１は、ＵＳＢインターフェース１２を備え、ＰＣ３０とＵＳＢケーブル３１を介して接続され、このＵＳＢケーブル３１経由してＰＣ３０から電力供給を受け、これを電源として動作可能となっている。【００１７】
バッテリ１１及びＵＳＢインターフェース１２から供給される電力は、電力検出部１３に供給され、電力検出部１３では、バッテリ１１及びＵＳＢインターフェース１２のそれぞれからの電力の供給状態を検出する。【００１８】
また、バッテリ１１及びＵＳＢインターフェース１２から供給される電力は、電力切換部１４にも供給され、電力切換部１４では、電力検出部１３からの検出結果に基づいてバッテリ１１又はＵＳＢインターフェース１２のどちらかからの電力を電源部１５に供給する。【００１９】
電力検出部１３からの検出結果は、制御部１６にも入力され、これに基づき高速モードあるいは省電力モードのどちらでストレージ機器１０を動作させるかが決定される。【００２０】
ＵＳＢインターフェース１２には、ＰＣ３０からの記録データも供給され、信号処理部１７へと入力される。信号処理部１７に入力された記録データは、光磁気記録に適したデータに変換されて磁気ヘッド駆動回路２６に送られる。そして、磁気ヘッド２７によりディスク２０に情報が記録される。【００２１】
読出時においては、レーザ駆動回路１８により光ピックアップ１９内のレーザ光源が発光されディスク２０に照射される。ディスク２０で反射したレーザビームは、光ピックアップ１９内の図示しない光検出器で検出された後、フロント回路２１、信号処理部１７を介して読出データに変換される。読出データは、ＵＳＢインターフェース１２を介してＰＣ３０へ転送される。【００２２】
ディスク２０を回転させるためのスピンドルモータ２１は、スピンドルモータ駆動回路２２からの信号により回転する。スピンドルモータ２１の回転制御は、スピンドルモータ駆動回路２２を介してサーボ回路２３により行われる。【００２３】
光ピックアップ１９及び磁気ヘッド２７は、トラバースモータ２４の回転によりディスク２０の半径方向に移動される。トラバースモータ２４の回転制御は、トラバースモータ駆動回路２５を介してサーボ回路２３により行われる。また、光ピックアップ１９内のレンズの自動焦点制御のための図示しないレンズアクチュエータの制御もサーボ回路２３により行われる。【００２４】
これらのディスク２０の回転制御、光ピックアップ１９及び磁気ヘッド２７のトラバース制御（シーク制御）、光ピックアップ１９内のレンズの自動焦点制御、レーザ光出力、及び記録読出動作制御等は、電源部１５から供給される電力によって行われる。【００２５】
（電源切換制御）
図２は、本実施形態に係る電源切換制御のフロー図である。まず、電力検出部１３は、ＵＳＢインターフェース１２から電力が供給されているか否かを判断する（Ｓ１）。【００２６】
電力検出部１３は、ＵＳＢインターフェース１２から電力が供給されていると判断すると（Ｓ１；Ｙｅｓ）、電源部１５にＵＳＢインターフェース１２から電力が供給されるように電力切換部１４に切り換えを指示する（Ｓ２）。【００２７】
電力検出部１３は、ＵＳＢインターフェース１２から電力が供給されていないと判断すると（Ｓ１；Ｎｏ）、電源部１５にバッテリ１１から電力が供給されるように電力切換部１４に切り換えを指示する（Ｓ３）。【００２８】
ＵＳＢインターフェース１２及びバッテリ１１の両方から電力が供給されている場合には、ステップＳ１においてＹｅｓとなり、ＵＳＢインターフェース１２からの電力が電源部１５に供給される。【００２９】
（動作モード制御フロー）
図３は、本実施形態に係る動作モード制御のフロー図である。まず、制御部１６には、電力検出部１３からの入力により、電力がＵＳＢインターフェース１２から供給されているか否かの判断が入力される（Ｓ１０）。【００３０】
制御部１６は、ＵＳＢインターフェース１２から電力が供給されていると判断すると（Ｓ１０；Ｙｅｓ）、高速モードに設定し、スピンドルモータ２１の回転速度及びトラバースモータ２４の回転速度、レンズアクチュエータの駆動速度を相対的に速い速度に設定、スピンドルモータ２１の回転停止制御時の加速度の絶対値を大きく設定、また光ピックアップ１９のレーザ光出力を相対的に高出力に設定するなどして、短時間でディスク２０に対する記録や読出の動作が行えるようにする（Ｓ１１）。【００３１】
制御部１６は、ＵＳＢインターフェース１２から電力が供給されていない（バッテリ１１のみから電力が供給されている）と判断すると（Ｓ１０；Ｎｏ）、省電力モードに設定し、スピンドルモータ２１の回転速度及びトラバースモータ２４の回転速度、レンズアクチュエータの駆動速度を相対的に遅い速度に設定、スピンドルモータ２１の回転停止制御時の加速度の絶対値を小さく設定、また光ピックアップ１９のレーザ光出力を相対的に低出力に設定するなどして、消費電力の少ない状態でディスク２０に対する記録や読出の動作が行えるようにする（Ｓ１２）。【００３２】
このように、本実施形態においては、バスパワー駆動の場合において、高速モードに設定し、スピンドルモータ２１の回転速度及びトラバースモータ２４の回転速度、レンズアクチュエータの駆動速度を相対的に速い速度に設定、スピンドルモータ２１の回転停止制御時の加速度の絶対値を大きく設定、また光ピックアップ１９のレーザ光出力を相対的に高出力に設定するなどして、最大限の性能を発揮するようにしたので、従来のストレージ機器と比べて短時間でディスク２０に対する記録や読出の動作が行なうことができるとともに、バッテリ駆動の場合には、省電力モードに設定し、従来のストレージ機器と同様に消費電力の少ない状態でディスク２０に対する記録や読出の動作を行うことができる。【００３３】
本実施形態においては、ＭＤ機器等の光磁気記録を行う機器を用いて説明したが、例えば、磁気記録を行うポータブルハードディスク機器等にも適用可能である。もちろん、光記録を行う機器にも適用可能である。【００３４】
本実施形態においては、電力供給が可能な通信インターフェースとしてＵＳＢインターフェースを用いたが、例えば、ＩＥＥＥ１３９４の通信インターフェースにも適用可能である。
【図１】
2007023613.tif 000002
【図２】
2007023613.tif 000003
【図３】
2007023613.tif 000004
【国際調査報告】
2007023613.tif 000005
2007023613.tif 000006